(57)【要約】【課題】  非力な老人でもビン蓋の開口、プルトップの立ち上げなどが容易にでき、栓抜き、カッターの機能をも有して多目的利用のできる容器開口用利器を提供すること。【解決手段】対称形とした上下の半体からなる合成樹脂製本体の一方の端部左右に、傾斜面を有する長短の支持部を形成し、本体内側に両側を固定したベルトを、長短支持部の中央よりリング状に突出させる。本体の内側に取り付けたカッターの刃先を、長い支持部の端部外方に向けて出没自在に配置し、本体の他方の端部に、先端を嘴状とした差込片と栓抜きを形成する。【選択図】          図１
2006069662.tif 000002
【特許請求の範囲】
【請求項１】
対称形とした上下の半体からなる合成樹脂製本体の一方の端部左右に、傾斜面を有する長短の支持部を形成し、本体内側に両側を固定したベルトを、長短支持部の中央よりリング状に突出させ、本体の内側に取り付けたカッターの刃先を、長い支持部の端部外方に向けて出没自在に配置し、本体の他方の端部の片側に、先端を嘴状とした差込片を形成するとともに、端部の他側に、栓抜きを形成することを特徴とする容器開口用利器。
【請求項２】
本体の厚みは１５ミリ程度であることを特徴とし、上下の半体同士は溶着により一体化される請求項１記載の容器開口用利器。
【請求項３】
長短支持部の傾斜面に刻み目を施すことを特徴とする請求項１記載の容器開口用利器。
【請求項４】
カッターは支持部表面に突出した可動ピン頭部を指で押すことにより本体内のバネに抗して刃先が突出し、指を離すと自動的に支持部内に没入することを特徴とする請求項１記載の容器開口用利器。
【請求項５】
差込片と栓抜きにおける上下の半体の重合個所に、溶着部を残して鉄片を介装することを特徴とする請求項１記載の容器開口用利器。
【発明の詳細な説明】
【技術分野】
【０００１】  本発明は、ペットボトル・缶などの蓋の開口に適するとともに、栓抜き、カッターなどの機能を併せ具有する容器開口用利器に関する。
【背景技術】
【０００２】  ペットボトルの蓋、ジュース缶のプルタップなどを開口し、またセロハン小袋などの袋口を開口することができる開口具として例えば特許文献１に示された技術が存在する。
【特許文献１】実用新案登録第３０８０１１３号公報
【０００３】  従来技術は図３（ａ）に示したように、合成樹脂からなる扁平で細長形をした手のひらサイズの把持体５０の一端部中央にリング状のベルト５１を取り付け、把持体５０の他端部に、中央にスリット６１を形成し片側を先鋭状とした差込片６０を備え、スリット６１の奥端に水平刃６２を設けたものであり、前記ベルト５１の両端部は把持体５０に凹設した取付溝５２に螺入した止めネジ５３で固着し、またベルト５１を挾んで把持体５０の左右は長さの異なる傾斜状支持部５４・５４’としてある。【０００４】  上記のリング状ベルト５１は図３（ｂ）のようにビン７０の蓋７１を開口するもので、使用にあたっては、まずベルト５１を蓋７１に嵌合し、支持部５４・５４’のいずれか（図では５４’）で引き込むようにして蓋７１に密着させる。然るのち把持体５０を反時計方向に回すとベルト５１と蓋７１が固着状態となって蓋７１は左回りに回動し開かれる。同形のビンでも蓋７１の径の大きさは異なる場合があるが、あらかじめベルト５１を大きい径の蓋に合わせて形成しておくことによって、小さい径の蓋に係合したリング状ベルト５１に生じる遊びは、大きい長さの支持部５４で吸収できるので、蓋径の大小にかゝわらず同一ベルト５１で蓋の開口ができる仕組みとなっている。【０００５】  また把持体５０の他端部に形成した差込片６０は、図３（ｃ）のように缶８０のプルタップ８１をこじ開けるために用いられるもので、プルタップ８１の端部下面に差込片６０の先鋭な個所を滑り込ませたのち把持体５０を梃子状に動かせばプルタップ８１は差込片６０の圧接を受けて立上がり、立ち上がった個所を指でつかんで引き出せば缶３０上面は開口する。【０００６】  前記スリット６１奥端の水平刃６２は、図３（ｄ）のようにセロハンの扁平な袋９０を開口するためのもので、すなわち袋９０の袋口９１がスリット６１に向くように立て、その状態で把持体１を押し込むと、袋口９１はスリット奥端の水平刃６２の刃先に当接して切断されるので、その切り口から袋口９１を両手で開くと袋９０が開口される。
【発明の開示】
【発明が解決しようとする課題】
【０００７】  ところで上記の開口具は、合成樹脂の薄い扁平板で把持体５０を形成したものであり、把持体５０に納まるリング状のベルト５１も当然ながら把持体以上の幅を持つものではないためビン７０の蓋７１がきつく閉じられていると、かなりの力を入れないと動かすのが難しく、またベルト５１は狭い取付溝５２内に固着するため厚みも薄くなるのは当然で摩擦力に欠け、それゆえ非力な老人や病弱者などには開口できないという懸念がある。またベルト５１は、そのまゝでは取り付け状態が露出して見苦しくなるという不具合があり、体裁を良くするためにカバー体で覆うとしても、狭い取付溝５２にカバー体を取り付けること自体面倒な手数を要する。【０００８】  しかして缶８０のプルタップ８１を立ち上げて缶蓋の開口を容易にする差込片６０は、把持体５０をつかんで梃子状に動かすものであるが、把持体５０が薄形であるため掴んだ時の感触が心もとなく、力が入りにくいため前記したベルト５１によるビン蓋の開口と同様、非力者には開口操作が簡単にはできないという問題がある。【０００９】  またスリット６１の奥端に取り付けた水平刃６２によって袋９０の袋口９１は開口できるが、開口するためにはスリット６１内に入る大きさの袋であることが必要であり、スリット６１内に袋端部が入らない場合には水平刃６２は使用できず、したがって通常のカッターのように手軽に物を切断することはできないという不具合がある。【００１０】  本発明はこのような従来の問題点を憂慮してなされたものであり、力の衰えた老人、病弱者でも蓋の回動、プルタップの立ち上げが簡単にできるためビン・缶の開口が容易であり、通常のカッター同様の使用ができて袋口以外の切断を可能とし、しかも栓抜きの機能をも備えることにより多種類の道具を必要とすることなく一石数鳥的働きをするため収納・持ち運びにも便利この上ない、使い勝手の良い容器開口用利器を提供することを目的とする。
【課題を解決するための手段】
【００１１】  すなわち本発明の容器開口用利器は、対称形とした上下の半体からなる合成樹脂製本体の一方の端部左右に、傾斜面を有する長短の支持部を形成し、本体内側に両側を固定したベルトを、長短支持部の中央よりリング状に突出させ、本体の内側に取り付けたカッターの刃先を、長い支持部の端部外方に向けて出没自在に配置し、本体の他方の端部の片側に、先端を嘴状とした差込片を形成するとともに、端部の他側に、栓抜きを形成することを特徴とする。【００１２】  本発明における本体の厚みは１５ミリ程度であることを特徴とし、上下の半体同士は溶着により一体化される。【００１３】  本発明における長短の支持部の傾斜面に刻み目を施すことを特徴とする。【００１４】  本発明におけるカッターは、支持部表面に突出したカッターと一体の可動ピン頭部を指で押すことにより本体内のバネに抗して刃先が突出し、指を離すと自動的に支持部内に没入することを特徴とする。【００１５】  本発明における差込片と栓抜きにおける上下の半体の重合個所に、溶着部を残して鉄片を介装することを特徴とする。
【発明の効果】
【００１６】  本発明は上下の半体からなる本体が所定の厚みを有して握り具合が良く、使用時におのずから手に力が入るため力のない老人であっても容易に操作できてビン蓋の回動・プルタップの立ち上げなどを無理なく行うことができ、本体に厚みがあるためリング状のベルトの幅と厚みも十分に取ることができ、なおかつ左右の長短支持部の傾斜面に刻み目を設けたのでベルトがビン蓋に確実に圧着され、それゆえ空回りすることなく確実に回動ができる。【００１７】  従来の開口具はスリット内のカッターで袋口を切断するものであるが、本発明では一般カッター同様の使用ができるため袋口の切断でけでなく用紙切断など多目的利用ができ、またカッターは本体端部に突出した長い支持部より出没する構成とし且つ通常は没入しているので刃先が手指に触れる恐れがなく誰にも安心して使用できる。【００１８】  ベルトとは反対側の本体端部には、缶のプルタップの押し上げをする差込片とともに栓抜きを設けてビールビンの蓋などを開口できることとしてあり、したがって本発明の利器を所持するだけで複数個の用具を備える煩わしさから開放される。【００１９】  差込片と栓抜きにおける上下の半体の重合個所に鉄片を設けることで本体に程よい重みが出て持ちやすくなり、また差込片と栓抜き個所の補強、特に栓抜きが堅牢となるので耐久性が発揮される。
【発明を実施するための最良の形態】
【００２０】  図面を参照して本発明実施の形態を説明する（なおビン・缶等の符号は従来技術で使用した符号と同一である）。１は手のひらで把持できるサイズの合成樹脂からなる本体であり、対称形とした上下の半体１ａ・１ｂで構成され、半体１ａ・１ｂ同士は溶着により合体される。本体１の厚みは握り具合を良くするために１５ミリ程度であることが好ましく本体１の一方の端部２（図では前部）の左側を４５°の角度とした傾斜面を有する長い支持部３となし右側を同角度とした傾斜面を有する短い支持部３’とする。そして傾斜面に夫々刻み目４を施す。【００２１】  １０は左右の支持部３・３’の中央にリング状に突出したベルトで、幅が１０ミリ強、厚みが３ミリ程度であり、ゴム・皮革などの堅牢な素材で形成され、両側は本体１内に固定される。そしてベルト１０の両側基部に膨隆部１０ａを形成し、基部の中間にリブ６を介装する。前記膨隆部１０ａは本体１の凹曲した溝５に合致し、したがって引張力が働いても前方に抜け出ることがなく、また上下の半体１ａ・１ｂによって上下部が抑止されているため確固として不動状態が保持される。ベルト１０のリング状部はビン７０の蓋７１と係合させるために内径を３０ミリ強とする（本発明ではペットボトルを想定しているため）。使用時には蓋７１にベルト１０を係合し、傾斜状に突出した右側の短い支持部３’の端部を蓋７１に圧接して本体１を反時計方向に回すと、蓋７１に密着して緊張したベルト１０とともに蓋７１が同方向に回動して緩むので、あとは難なく手で開けることができる。蓋径が小さくてベルト１０に余りが生じるときは、本体１を反転して長い支持部３を右側に配置し、該支持部３の端部でベルト１０の余りを吸収することによりベルト１０を蓋７１に密着させることができるので、そのまゝ反時計方向に回動すれば蓋７１は開口される。支持部３・３’の傾斜面に形成した刻み目４がベルト１０に密着するのでベルト１０が蓋７１と空回りすることはない。【００２２】  ２０は刃先を傾斜状の支持部３の端部外方に向けて配置したカッターであり、本体１の内側、すなわち本体１の案内溝８内において可動ピン２１に取り付けるとともに、可動ピン２１と本体１の固定ピン２２との間にバネ２３を介装し、このバネ２３の収縮作用で普段はカッター２０の刃先は支持部３内に没入しているが、可動ピン２１を動かすことによりバネ２３に抗して可動ピン２１と連動してカッター２０は支持部３より突出する。そのために可動ピン２１の頭部２１ａを本体１の表面の浅い長溝７内に臨ませ、本体１外側からカッター２０の出没を操作できるようにする。この出没操作は指で容易にでき、頭部２１ａから指を離すとバネ２３の復帰作用でカッター２０は当然ながら支持部３内に没入する。したがって使用時以外にカッター２０の刃先で手指等を傷つける恐れはない。カッター２０は本体１をつかんで刃先を突出させれば通常のものと変わりなく使用でき、したがって袋類だけでなく、薄紙などの切断にも好適する。【００２３】  ３０は本体１の他方の端部９（図では後部）の右側に設けた差込片であって、先端が嘴状をなし、図のように先端部を缶８０のプルタップ８１の下面に潜らせ、本体１を梃子状に動かすと、差込片３０��先端によりプルタップ８１が立ち上がるので、プルタップ８１を指先で引き出せば缶８０は開口する。【００２４】  ４０は端部９の左側に設けた栓抜きであり、通常の栓抜きと変わらない構造としてあるので、差込片３０と同様に本体１をつかんでビールビン７０ａの蓋７１ａの下面と上面にあてがって梃子状に操作すればよい。なお、前記差込片３０と栓抜き４０における上下の半体１ａ・１ｂの重合個所に、周縁の溶着部を残して１ミリ程度の肉厚をもつ鉄片４１を介装し、該鉄片４１によって差込片３０と栓抜き４０は補強されるとともに、特に栓抜き４０は操作時に鉄片４１が蓋７１ａに直接するので破損・欠損が未然に防止できる。【００２５】  ４５は本体１の裏側すなわち下部の半体１ｂに埋設したマグネット板で、本体１を冷蔵庫・金属製家具などの表面に固定でき、吸着力もそれほど強くはないので簡単に取り外しができ、本体１を絶えず目視できる個所に取り付けることによって置き場所を忘れるといった懸念がない。またマグネットによる取り付け以外にも、ベルト１０によって家具などの鉤部に本体１を取り付けることができること勿論である。
【図面の簡単な説明】
【００２６】
【図１】（ａ）は本発明の斜視図、（ｂ）は上部半体を除去して下部半体を俯瞰した平面図、（ｃ）は側面図である。
【図２】本発明の使用状態を示し、（ａ）はビン蓋を開口する説明図、（ｂ）はプルトップを立ち上げる説明図、（ｃ）は栓抜きによる蓋の取り外しをする説明図である。
【図３】従来例を示し、（ａ）は全体の平面図、（ｂ）はビン蓋を開口する説明図、（ｃ）はプルトップを立ち上げる説明図、（ｄ）は水平刃で袋口を切断する説明図である。
【符号の説明】
【００２７】１  本体
１ａ・１ｂ  上下の半体
２  端部
３・３’  支持部
４  刻み目
９  端部
１０  ベルト
２０  カッター
２１  可動ピン
２１ａ  頭部
２３  バネ
３０  差込片
４０  栓抜き
４１  鉄片
４５  マグネット
【図１】
2006069662.tif 000003
【図２】
2006069662.tif 000004
【図３】
2006069662.tif 000005